(57)【特許請求の範囲】
【請求項１】
作業ユニットに動力を伝達する電動モータと、前記電動モータに給電線を介して給電するバッテリユニットと、前記給電線に設けられた給電スイッチと、操縦部に設けられるとともにＯＮ状態を示すＯＮ状態信号とＯＦＦ状態を示すＯＦＦ状態信号を出力する主スイッチ及び副スイッチと、前記給電スイッチの開閉を制御する制御信号を前記給電スイッチに出力するモータ給電制御部とを備え、
前記モータ給電制御部は、前記主スイッチがＯＦＦ状態における前記副スイッチからのＯＮ状態信号に基づいて前記電動モータに対する始動制御を保留する無視状態を設定するとともに、当該無視状態を前記副スイッチからのＯＦＦ状態信号によって解除する優先信号評価部を有し、かつ前記モータ給電制御部は、前記無視状態の非設定時において前記主スイッチと前記副スイッチの両者のＯＮ状態が確認された場合に、前記給電スイッチを閉鎖して前記電動モータへの給電を可能にする制御信号を前記給電スイッチに出力する電動作業機用制御装置。
【請求項２】
前記モータ給電制御部は前記電動作業機から着脱可能な前記バッテリユニットに組み込まれている請求項１に記載の電動作業機用制御装置。
【請求項３】
請求項１または２のいずれか一項に記載の電動作業機用制御装置を搭載した電動作業機であって、
前記操縦部が左右一対のハンドルから構成され、一方のハンドルに前記主スイッチが設けられ、他方のハンドルに前記副スイッチが設けられている電動作業機。
【請求項４】
前記主スイッチが押しボタンスイッチであり、前記副スイッチがレバースイッチである請求項３に記載の電動作業機。
【発明の詳細な説明】
【技術分野】
【０００１】
本発明は、バッテリから給電される電動モータの回転力を耕耘作業などに利用する電動作業機に搭載される電動作業機用制御装置及び電動作業機に関する。
【背景技術】
【０００２】
このような電動作業機用制御装置は、操縦部に設けられた、操作レバーや操作スイッチである操作デバイスを操作してバッテリから電動モータへの給電を制御する。このような制御装置を搭載した歩行型電動耕耘機が特許文献１から知られている。この特許文献１に記載された歩行型電動耕耘機は、モータによって動作する耕耘部と、このモータの駆動を操作するためのメインスイッチと、レバーによってＯＮ・ＯＦＦされるレバースイッチを有するハンドルとを備えている。さらに、メインスイッチがＯＮされたときに視覚的に通報するインジケータも備えられている。ケース内に備えられたバッテリの陽極は、インジケータ、メインスイッチ、レバースイッチを介して制御部に接続されており、さらには、バッテリの陽極は、直接、制御部とも接続されている。また制御部は一方では接地されているとともに、他方ではモータと接続されている。メインスイッチを回動してＯＮにすると、インジケータが点灯する。ハンドルにあるレバーを握ってグリップ側に引き付けることでレバースイッチをＯＮにするとモータに電力が供給されモータが回転し、耕耘部による耕耘作業が行われる。
【０００３】
この歩行型電動耕耘機では、メインスイッチのＯＮとレバー操作によるレバースイッチのＯＮとが成立することで、モータが回転する。２つのスイッチの操作を通じて操作者に対してモータ回転を意識させている。しかしながら、メインスイッチとレバースイッチのＯＮが等しく扱われているため、メインスイッチをＯＮしてからレバースイッチをＯＮしても、あるいはレバースイッチをＯＮしてからメインスイッチをＯＮしても同様にモータは回転する。したがって、何らかのトラブルによりレバースイッチが不測にＯＮとなっていた場合、あるいは操作者が無意識的にレバースイッチをＯＮしていた場合では、メインスイッチのＯＮにより直ちにモータが回転し、耕耘部が動作するという不都合が生じる。
【０００４】
また、機体にセットするときには位置固定用の凸部を位置固定用の凹部に挿入してそのまま下に下ろすと位置固定用の足が位置固定用の穴に挿入されて位置固定がなされ、取っ手を引き上げるだけで取り出すことができるバッテリケースを備えた電動耕耘機が特許文献２から知られている。この特許文献２に記載された電動耕耘機は、ロータリ部(耕耘部)と、ロータリ部を駆動するモータと、ハンドルフレームの根元領域に電源の入り切りをする電源スイッチと、ハンドルフレームのグリップ近傍にモータの駆動を入り切りする操作レバーを備えている。操作レバーが操作されるとモータの駆動が入となり、離すとモータの駆動が切りとなる。さらに、操作レバーの近傍に初期位置では操作レバーによるモータの駆動の入り動作を禁止し、操作位置に操作するとモータの駆動の入り動作を可能とする安全装置が設けられている。
この電動耕耘機では、安全装置のおかげで、無意識に操作レバーをモータ駆動位置に操作する可能性は少なくなるが、何らかのトラブルによりスイッチ本体が不測にＯＮとなっていた場合には、電源スイッチメのＯＮにより直ちにモータが回転し、耕耘部が動作するという不都合は回避できない。
【先行技術文献】
【特許文献】
【０００５】
【特許文献１】特開２００６‐５５１０２号公報（段落番号〔００１７−００２６〕、図５）
【特許文献２】特開２０１１‐５号公報（段落番号〔０００６−００２５〕、図１、図６）
【発明の概要】
【発明が解決しようとする課題】
【０００６】
上記実情に鑑み、本発明の目的は、明確な操作手順によってのみ電動モータが駆動する電動作業機用制御技術とその技術を採用した電動作業機を提供することである。
【課題を解決するための手段】
【０００７】
上記目的を達成するために、本発明による電動作業機用制御装置は、作業ユニットに動力を伝達する電動モータと、前記電動モータに給電線を介して給電するバッテリユニットと、前記給電線に設けられた給電スイッチと、操縦部に設けられるとともにＯＮ状態を示すＯＮ状態信号とＯＦＦ状態を示すＯＦＦ状態信号を出力する主スイッチ及び副スイッチと、前記給電スイッチの開閉を制御する制御信号を前記給電スイッチに出力するモータ給電制御部とを備え、前記モータ給電制御部は、前記主スイッチがＯＦＦ状態における前記副スイッチからのＯＮ状態信号に基づいて前記電動モータに対する始動制御を保留する無視状態を設定するとともに、当該無視状態を前記副スイッチからのＯＦＦ状態信号によって解除する優先信号評価部を有し、かつ前記モータ給電制御部は、前記無視状態の非設定時において前記主スイッチと前記副スイッチの両者のＯＮ状態が確認された場合に、前記給電スイッチを閉鎖して前記電動モータへの給電を可能にする制御信号を前記給電スイッチに出力する。
【０００８】
この構成によれば、主スイッチがＯＦＦ状態であるときに副スイッチがＯＮ状態となれば一時的に電動モータに対する始動制御を保留して、前記副スイッチからの信号を無視する無視状態が設定される。この無視状態が設定されると、その後に主スイッチからＯＮ状態信号がおくられてくることで、主スイッチと副スイッチとの両者のＯＮ状態が確認されても、給電スイッチに対して電動モータへの給電を許可する制御信号が与えられないので、電動モータは始動しない。しかも、この無視状態は副スイッチからのＯＦＦ状態信号によって解除される。これにより、電動モータは、主スイッチがＯＮ状態となり、それから副スイッチがＯＮ状態にならない限り、始動しない。したがって、主スイッチがＯＦＦ状態において、何らかのトラブルで副スイッチがＯＮ状態になったとしても、あるいは操作者が無意識に副スイッチをＯＮ状態に操作していたとしても、無視状態が設定されるので、主スイッチがＯＦＦ状態からＯＮ状態になったとしても電動モータは始動しない。操作者が主スイッチをＯＮ状態にし、さらに副スイッチをＯＮ状態にすることで電動モータが始動するので、確実な操作手順が確立される。
【０００９】
本発明の好適な実施形態の１つでは、モータ給電制御部は電動作業機から着脱可能なバッテリユニットに組み込まれている。モータ給電制御部をバッテリユニットに組み込むことで、電動作業機の機体側には埃や湿気を嫌う制御機器を配置する必要がなくなる。バッテリユニットはもともと防水を考慮されているので、この中に組み込まれたモータ給電制御部は埃や湿気から保護されることになる。
【００１０】
本発明による電動作業機用制御装置を搭載した電動作業機の好適な形態として、操作者によって操縦される操縦部が左右一対のハンドルから構成され、一方のハンドルに主スイッチを設け、他方のハンドルに副スイッチを設けた場合、主スイッチの操作と副スイッチの操作とが操作者の左右の手に振り分けられ、操作手順を操作者が意識しやすくなる。
【００１１】
さらに、好適な実施形態の１つでは、主スイッチが押しボタンスイッチであり、副スイッチがレバースイッチである。これにより操作者は異なった操作方法で主スイッチと副スイッチとを操作することになり、操作者の操作に対する意識付けが良好となる。
【図面の簡単な説明】
【００１２】
【図１】本発明による電動モータ給電制御の基本原理を図解する模式図である。
【図２】本発明による電動管理機の外観を示す斜視図である。
【図３】電動作業機の側面図である。
【図４】電動作業機の機体部分の側面図である。
【図５】電動作業機の機体へのバッテリユニットの装着を示す側面図である。
【図６】電動作業機の機体へのバッテリユニットの装着を断面で示す正面図である。
【図７】電動作業機の制御電子系の機能ブロック図である。
【図８】電動モータ給電制御の流れを例示するフローチャート図である。
【発明を実施するための形態】
【００１３】
本発明の具体的な実施の形態を説明する前に、図１を用いて本発明による電動モータ給電制御の基本原理を説明する。ここでは、電動作業機は歩行型耕耘機であり、その操縦部は左右一対のハンドルで、一方のハンドルに主スイッチが他方のハンドルに副スイッチが設けられているとする。電動モータ（以下単にモータと略称する）は、耕耘ロータとして構成された作業ユニットに回転動力を伝達する。図１の例では、バッテリからモータへの給電を制御するモータ給電制御部は、電動作業機の機体に取り出し可能に装着されるバッテリユニットにバッテリとともに組み込まれている。
【００１４】
バッテリからモータへの給電線に、モータ給電制御部から出力される制御信号によって開放状態（給電状態）と閉鎖状態（遮断状態）を作り出す給電スイッチが介装されている。主スイッチはＯＮとＯＦＦに選択的に切り替え可能で、ＯＮに切り替えられるとＯＮ状態信号を、ＯＦＦに切り替えられるとＯＦＦ状態信号を、モータ給電制御部に与える。同様に、副スイッチもＯＮとＯＦＦに選択的に切り替え可能で、ＯＮに切り替えられるとＯＮ状態信号を、ＯＦＦに切り替えられるとＯＦＦ状態信号をモータ給電制御部に与える。
【００１５】
モータ給電制御部には、主スイッチと副スイッチとに対する操作手順を管理する優先信号評価部が含まれている。この優先信号評価部は、主スイッチがＯＦＦ状態における副スイッチからのＯＮ状態信号に基づいてモータに対する始動制御の保留、つまりモータへの給電遮断を維持する無視状態を設定する。また優先信号評価部は、設定された無視状態において副スイッチからのＯＦＦ状態信号を受け取るとこの無視状態解除する。
【００１６】
優先信号評価部によって無視状態が設定されていなければ、モータ給電制御部は、主スイッチと副スイッチの両者のＯＮ状態が確認された場合に、給電スイッチを閉鎖して電動モータへの給電を可能にする制御信号を給電スイッチに出力する。
【００１７】
つまり、優先信号評価部は、内部状態として通常状態と無視状態とを有する。モータ給電制御部は内部状態として、主スイッチのＯＮ状態での副スイッチのＯＮ状態を示すＯＮ／ＯＮ状態、主スイッチのＯＮ状態での副スイッチのＯＦＦ状態を示すＯＮ／ＯＦＦ状態、主スイッチのＯＦＦ状態での副スイッチのＯＮ状態を示すＯＦＦ／ＯＮ状態、主スイッチのＯＦＦ状態での副スイッチのＯＦＦ状態を示すＯＦＦ／ＯＦＦ状態を有する。そして、ＯＦＦ／ＯＮ状態の実現により通常状態から移行した無視状態は、ＯＮ／ＯＦＦ状態やＯＦＦ／ＯＦＦ状態の実現により通常状態に戻る。通常状態においてＯＮ／ＯＮ状態が実現すると、モータへの給電を行うために給電スイッチを閉鎖する制御信号が出力される。
【００１８】
以下、本発明の具体的な実施の形態を、電動作業機を歩行型耕耘機に適用した例をとって説明する。
図２と図３とに示すように、この実施の形態で例示する歩行型耕耘機（以下単に耕耘機と略称する）１は、機体１０の下部に耕耘ロータ２、前後揺動による姿勢変更が可能な操縦部としての操縦ハンドル３、耕耘ロータ２に回転動力を伝達するモータ５、モータ５の電源となるバッテリユニット４を備えている。バッテリユニット４は、機体１０の後部から後方斜めに立ち上がっている支持枠１４に対して、上方からの装着、上方への抜き出しが可能なように載置されている。バッテリユニット４の上面には、持ち運びに便利なように取っ手４ａが設けられている。操縦ハンドル３は、いずれもアーム状の右ハンドル部３Ａと左ハンドル部３Ｂからなり、その基端側で支持枠１４の後方突出端部に揺動可能に連結されている。これにより、非使用時には操縦ハンドル３を機体前側に折り畳むことができる。モータ５の全て及びバッテリユニット４の下半分を覆う人工樹脂製のカバー１１がこの耕耘機１の上面輪郭を曲面状に形作っている。二点鎖線で輪郭だけを示されている載置台１００は、耕耘機１の下部が挿入されるボックス体であり、非使用時の耕耘機１の安定性と運搬性を高めるものである。
【００１９】
図４から理解できるように、機体１０は、実質的に、主フレーム１５と伝動ケース１７とから構成されている。主フレーム１５はモータ５を支持するモータ支持面領域とバッテリユニット４を支持するバッテリ支持面領域を作り出しており、モータ支持面領域とバッテリ支持面領域との間は約３０度の角度で屈曲している。主フレーム１５の後端部には機体横断方向の水平軸回りで揺動可能な揺動アーム１６が取り付けられており、揺動アーム１６は、下向き姿勢（図３では実線で示す）と後向き姿勢（図３では二点鎖線で示す）との間で揺動するが、それぞれの姿勢において揺動アーム１６を主フレーム１５に対して固定する固定手段が設けられている。この固定手段は、簡単にはロックピンとロック孔である。
【００２０】
揺動アーム１６の自由端側に移動輪１２が装備されており、揺動アーム１６の中間部に抵抗棒１３が取り付けられている。移動輪１２は揺動アーム１６の下向き姿勢で接地し、抵抗棒１３は揺動アーム１６の後向き姿勢で接地する。抵抗棒１３の揺動アーム１６に対する取り付け位置をピン連結法によって変更することで機体１０の持ち上げ高さを変更することができる。
【００２１】
伝動ケース１７は、ウォーム減速機１８を内蔵する側面視略Ｌ字状の左右二分割構造であり、その上端部に形成したフランジ部にモータ５がボルト連結されている。モータ５の出力軸とウォーム減速機１８の入力軸は図４で点線描画されている中間伝動軸でつながれており、中間伝動軸は伝動ケース１７内を垂直に延びている。ウォーム減速機１８の出力は、伝動ケース１７の下端部から左右に延出する耕耘ロータ２の駆動軸２０に伝達される。伝動ケース１７の上部には、この耕耘機１を持ち運ぶ際の把持部に使用可能なループ状で前向きに延出形成した丸パイプ鋼材からなるフロントガード１９がボルト連結されている。
【００２２】
図１に示すように、操縦ハンドル３を構成する右ハンドル部３Ａ及び左ハンドル部３Ｂは、丸パイプ材からなり、その自由端領域にグリップ３ａ、３ｂが設けられている。操縦ハンドル３と支持枠１４との間の揺動連結部３０によって操縦ハンドル３を支持枠１４に締め付け固定するノブ付きナット締め付け機構が設けられている。この構成から、操縦ハンドル３は、ノブ付きナットを操作することで、操縦ハンドル３を支持枠１４に対する任意の姿勢に設定することができる。
【００２３】
右ハンドル部３Ａのグリップ３ａのすぐ機体側にレバースイッチ装置３１が設けられ、左ハンドル部３Ｂのグリップ３ｂのすぐ機体側に押しボタンスイッチ装置３２が設けられている。レバースイッチ装置３１には、グリップ３ａを握っている手で操作可能なレバーの操作変位によってＯＮ／ＯＦＦされる副スイッチ８２が組み込まれている。押しボタンスイッチ装置３２には、押し操作によってＯＮ／ＯＦＦされる主スイッチ８１が組み込まれている。この押しボタンスイッチ装置３２は、操作部を回しながら押すことで主スイッチ８１がＯＮ状態となるとともに、そのＯＮ状態が保持され、押し込まれた操作部をさらに押すことで操作部がホームポジションに復帰して主スイッチ８１がＯＦＦ状態となる機械式的にＯＮ保持を行うタイプである。レバースイッチ装置３１に組み込まれている副スイッチ８２はよく知られているように、レバーをハンドル側に引き寄せ揺動させることでＯＦＦ状態からＯＮ状態となるリミットスイッチまたはその種のスイッチである。
【００２４】
図４、図５、図６から明らかなように、主フレーム１５のバッテリ支持面領域において、カバー１１は、ボックス状の収容スペースを作り出すバッテリ収容壁体１１ａを形成している。バッテリユニット４は矩形横断面を有しており、当該矩形横断面はバッテリ収容壁体１１ａが作り出す収容スペースの矩形横断面よりも同一かやや大きな面積となるような寸法をもっている。従って、このバッテリ収容壁体１１ａの収容スペースに挿入されたバッテリユニット４は、バッテリ収容壁体１１ａの弾性によりしっかりと保持される。
【００２５】
バッテリ収容壁体１１ａとバッテリユニット４との間で電気的接続を行うためのコネクタ９が備えられている。このコネクタ９は、バッテリユニット４の底面中央に設けられたバッテリ側コネクタ部９ａと、バッテリ収容壁体１１ａの底面中央に設けられた機体側コネクタ部９ｂとからなる。ここでは、バッテリ側コネクタ部９ａがソケット形で、機体側コネクタ部９ｂがプラグ形であるが、互いに逆であってもよい。バッテリユニット４はバッテリ収容壁体１１ａの弾性によって正確に中心がずれないようにバッテリ収容壁体１１ａによって案内されるので、重力の助けを借りたバッテリユニット４の収容スペースへの挿入により確実にバッテリ側コネクタ部９ａと機体側コネクタ部９ｂとが接続されることになる。収容スペースに収容されたバッテリユニット４はハンドル支持枠１４に設けられた、クランプ式固定具１４ａによって上面から押さえ付け固定される。
【００２６】
コネクタ９は、バッテリユニット４からモータ５への給電を行う給電線のための端子、主スイッチ８１や副スイッチ８２などの信号線のための端子、さらにはアース端子など、ピンとピンソケットからなる複数の接続端子を備えている。
【００２７】
次に、バッテリユニット４の内部構造、及び機体１０におけるモータ５への給電配線やモータ５の駆動制御のための信号配線を、図７の機能ブロック図を用いて説明する。
バッテリユニット４は、バッテリ本体４０、充電・放電スイッチユニット４１、コントローラ４２、電源部４３、バッテリ本体４０のプラス側に接続される給電線４４、バッテリ本体４０のマイナス側に接続されるアース線４５、各種信号線４６、電流切替部７を備えている。
【００２８】
充電・給電スイッチユニット４１は、給電線４４に直列配置された給電スイッチ４１ａと充電スイッチ４１ｂとを含み、それぞれはよく知られているようにＦＥＴとダイオードとで構成されている。給電スイッチ４１ａは、ＯＦＦ状態で給電線４４を遮断し、ＯＮ状態で給電線４４を接続して、外部負荷に対してバッテリ本体４０からの給電を可能にする。充電スイッチ４１ｂは、充電時に給電線４４を介して、図示されていない電源アダプタからの電力をバッテリ本体４０に供給することを可能にする。
【００２９】
コントローラ４２は、実質的にはワンチップマイコンから構成されており、ハードウエア及びプログラムの実行によって、モータ５に対する給電制御を行うモータ給電制御部５０と、バッテリ本体４０に対する充電制御を行う充電制御部５２とを作り出している。モータ給電制御部５０は、主スイッチ８１のＯＮ状態と副スイッチ８２のＯＮ状態とに基づいて給電スイッチ４１ａをＯＮ状態にして、バッテリ本体４０からモータ５への給電を許可し、モータ５を駆動させる。このモータ給電制御部５０は、主スイッチ８１のＯＮ状態に続く副スイッチ８２のＯＮ状態が発生したときのみモータ５への給電を許可する牽制制御を行うために主スイッチ８１からの信号と副スイッチ８２からの信号の時系列評価を行う優先信号評価部５１を含んでいる。
【００３０】
電源部４３は、バッテリユニット４の内部電源として機能し、コントローラ４２や電流切替部７に給電する。
【００３１】
バッテリユニット４に設けられたバッテリ側コネクタ部９ａには、給電線４４のための給電端子としての給電ソケット９１ａ、第１信号線４６ａのためのバッテリ側端子である第１ソケット９２ａ、第２信号線４６ｂのためのバッテリ側端子である第２ソケット９３ａ、第３信号線４６ｃのためのバッテリ側端子である第３ソケット９４ａ、第４信号線４６ｄのためのバッテリ側端子である第４ソケット９５ａ、第５信号線４６ｅのためのバッテリ側端子である第５ソケット９６ａ、アース線４５のアース端子としてのアースソケット９７ａが設けられている。
バッテリ側コネクタ部９ａに対応するように機体１０側に設けられた機体側コネクタ部９ｂには、給電線４４のための給電端子としての給電ピン９１ｂ、第１信号線４６ａのためのバッテリ側端子である第１ピン９２ｂ、第２信号線４６ｂのためのバッテリ側端子である第２ピン９３ｂ、第３信号線４６ｃのためのバッテリ側端子である第３ピン９４ｂ、第４信号線４６ｄのためのバッテリ側端子である第４ピン９５ｂ、第５信号線４６ｅのためのバッテリ側端子である第５ピン９６ｂ、アース線４５のアース端子としてのアースピン９７ｂが設けられている。
【００３２】
電流切替部７は、耕耘機１の非作業時においてコントローラ４２が省エネ目的でスリープ状態になっている時には信号線に微弱電流を流しておき、コントローラ４２がウエイクアップすると信号線に微弱電流より大きな大電流を流す機能を有する。
【００３３】
機体側では、モータ５のプラス接点に給電線４４が接続され、モータ５のマイナス接点にアース線４５が接続される。モータ５には、モータ５の過熱を検知するために、所定値以上の過熱状態でスイッチＯＦＦする過熱スイッチ８３が設けられている。この過熱スイッチ８３は、一方を第２信号線４６ｂと接続され、他方をアース線である第５信号線４６ｅに接続されている。副スイッチ８２は、一方を第２信号線４６ｂと接続され、他方を第１信号線４６ａの過熱スイッチ８３より上流側に接続されている。これにより、モータ過熱により過熱スイッチ８が動作した場合、副スイッチ８２がＯＮ状態であっても、コントローラ４２は副スイッチ８２をＯＦＦ状態であるとみなすことができ、モータ５への給電を停止することができる。主スイッチ８１は、一方を第３信号線４６ｃと接続され、他方をアース線である第５信号線４６ｅに接続されている。
【００３４】
上述したように、モータ５と主スイッチ８１と副スイッチ８２が機体側に配置されており、主スイッチ８１や副スイッチ８２からの信号に基づいてモータ５の駆動を制御する制御系デバイスは全てバッテリユニット４に配置されている。つまり、モータ５の駆動制御がバッテリユニット４の給電制御に置き換えられており、バッテリユニット４が本来備えている放電制御のための放電スイッチをモータ５の駆動制御のための給電スイッチユニット４１に流用しているので、機体側の電子デバイスや配線は簡素となっている。
【００３５】
次に、優先信号評価部５１によって行われる、主スイッチ８１からの信号と副スイッチ８２からの信号の時系列評価に基づく給電ルーチンを、図８のフローチャートを用いて説明する。この時系列評価の基本は、主スイッチ８１がＯＦＦ状態における副スイッチ８２からのＯＮ状態信号に基づいてモータ５に対する給電、つまり始動を保留する無視状態が設定され、この無視状態が副スイッチ８２からのＯＦＦ状態信号によって解除されることである。また、無視状態設定されていない場合では、主スイッチ８１と副スイッチ８２の両者のＯＮ状態が確認された場合に、給電スイッチ４１ａを閉鎖してモータ５への給電を可能にする制御信号を給電スイッチ４１ａに出力する。
【００３６】
図８で示された給電ルーチンでは、上述した無視状態を設定するためフラグとして牽制フラグが用いられている。従って、この給電ルーチンがスタートすると、まず、牽制フラグの状態がチェックされる（＃０１）。牽制フラグがリセットされている（無視状態が設定されていない）と、さらに主スイッチ８１と副スイッチ８２の状態がチェックされる（＃０２）。
【００３７】
ステップ＃０２のチェックで、主スイッチ８１と副スイッチ８２とがＯＮ状態ならば、モータ給電制御部５０から給電スイッチ４１ａに給電許可指令が送られ、給電スイッチ４１ａがＯＮ状態（給電線４４の通電状態）となり、モータ５への給電が開始され、モータ５が駆動する（＃０３）。
ステップ＃０２のチェックで、主スイッチ８１だけがＯＮ状態で、副スイッチ８２がＯＦＦ状態ならば、副スイッチ８２のＯＦＦ状態からＯＮ状態の移行を待って、モータ５への給電は待機状態となる（＃０４）。なお、待機状態においても、給電線４４は、給電スイッチ４１ａによって遮断されたままである。
ステップ＃０２のチェックで、主スイッチ８１がＯＦＦ状態にもかかわらず副スイッチ８２がＯＮ状態ならば、牽制フラグがセットされる（＃０５）。給電線４４は給電スイッチ４１ａによって遮断され（＃０６）、モータ５は停止のままである。
【００３８】
ステップ＃０１において、牽制フラグがセットされている（無視状態が設定されている）と、さらに副スイッチ８２の状態がチェックされる（＃０７）。
ステップ＃０７のチェックで、副スイッチ８２がＯＮ状態ならば、牽制フラグをセットのままにしておき（無視状態の続行）、給電線４４の給電スイッチ４１ａによる遮断が維持され（＃０６）、モータ５は停止のままである。
ステップ＃０７のチェックで、副スイッチ８２がＯＦＦ状態ならば、牽制フラグがリセットされる（無視状態の解除）。給電線４４は給電スイッチ４１ａによって遮断され（＃０６）、モータ５は停止のままである。
【００３９】
１回の給電ルーチンは上記の流れで終了するが、この簡単な給電ルーチンが繰り返されることで、耕耘機１の作業制御が行われることになる。
【００４０】
〔別実施の形態〕
〔１〕電動作業機としては、作業ユニット２に耕耘ロータを適用した電動耕耘機に限定されるのではなく、作業ユニットを適宜変更することで、電動芝刈機、電動除雪機など、種々の電動作業機に本発明は適用可能である。
〔２〕操縦部３や機体１０の機械的構造は、本発明では限定されていないので、種々の形態を採用することができる。
〔３〕バッテリユニット４の断面形状も種々なものを採用可能であり、その形状に合わせて適合するような収容スペースが作り出されるようにバッテリ収容壁体１１ａの形状を決定するとよい。
【産業上の利用可能性】
【００４１】
本発明は、バッテリユニット４を搭載し、モータ５で作業ユニット２を駆動する種々の電動作業機に適用することができる。
【符号の説明】
【００４２】
１：電動耕耘機（電動作業機）
２：耕耘ロータ（作業ユニット）
３：ハンドル（操縦部）
３ａ，３ｂ：グリップ
５：電動モータ
４：バッテリユニット
９：コネクタ
３１：レバースイッチ装置（レバースイッチ）
３２：押しボタンスイッチ装置（押しボタンスイッチ）
１０：機体
４０：バッテリ
４１ａ：給電スイッチ
４２：コントローラ
４４：給電線
４６：信号線
５０：モータ給電制御部
５１：優先信号評価部
５２：充電制御部
８１：主スイッチ
８２：副スイッチ
【図１】
0005580795.tif 000002
【図２】
0005580795.tif 000003
【図３】
0005580795.tif 000004
【図４】
0005580795.tif 000005
【図５】
0005580795.tif 000006
【図６】
0005580795.tif 000007
【図７】
0005580795.tif 000008
【図８】
0005580795.tif 000009